(57)【要約】【課題】回路基板に対してハウジングが前倒れするのを防止し、さらに全体の構成を簡素化する。【解決手段】基板用コネクタ１０は、ハウジング２０に組み付けられた状態でハウジング２０の後面から外部に引き出される引出部８２を有し、引出部８２の先端側が回路基板９０に半田付けして接続される端子金具８０と、ハウジング２０に装着されて引出部８２の両側を覆うとともに、全体の重心を後部寄りとなす位置に配置されて、回路基板９０の表面に設置される金属製の保護部材６０と、を備えている。【選択図】図３
2015076340.tif 000002
【特許請求の範囲】
【請求項１】
相手ハウジングに嵌合可能なハウジングと、
前記ハウジングに組み付けられた状態で前記ハウジングの後面から外部に引き出される引出部を有し、前記引出部の先端側が回路基板に半田付けして接続される端子金具と、
前記ハウジングに装着されて前記引出部の両側を覆うとともに、全体の重心を後部寄りとなす位置に配置されて、前記回路基板の表面に設置される金属製の保護部材と、を備えていることを特徴とする基板用コネクタ。
【請求項２】
前記回路基板が前記ハウジングの後部側とともにケース内に挿入され、前記ケースに導入される樹脂によって前記回路基板及び前記ハウジングの後部側が樹脂封止されるようになっていることを特徴とする請求項１記載の基板用コネクタ。    
【請求項３】
前記ハウジングには、端子装着部及び固定装着部が設けられ、前記端子装着部及び前記固定装着部は、それぞれ、前記端子金具及び前記保護部材を受け入れ可能なように後方に開口する形態とされていることを特徴とする請求項１又は２記載の基板用コネクタ。
【発明の詳細な説明】
【技術分野】
【０００１】
本発明は、基板用コネクタに関する。
【背景技術】
【０００２】
特許文献１に記載の基板用コネクタは、コネクタハウジングと、コネクタハウジングの両側面に装着されて回路基板に半田付けにより固定される金属製の固定部と、コネクタハウジングに組み付けられる端子金具とを備えている。端子金具は、コネクタハウジングの後面から外部に引き出された引出部を有している。端子金具の引出部の先端側は、回路基板の表面に半田付けにより接続されている。また、コネクタハウジングには、端子金具の引出部の両側を覆うように、一対の保護壁が後方へ突出して設けられている。端子金具の引出部は、両保護壁によって側方から保護された状態となる。
【先行技術文献】
【特許文献】
【０００３】
【特許文献１】特許第４５６０７２７号公報
【発明の概要】
【発明が解決しようとする課題】
【０００４】
ところで、上記従来の基板用コネクタの場合、回路基板に対して固定部と端子金具とが同時にリフロー半田される構成であるため、リフロー半田されるまでの間、コネクタハウジングが回路基板の表面に載置された状態で前倒れするおそれがあった。また、保護壁と固定部とがそれぞれ別体になっているため、全体の構成が複雑になるきらいがあった。
【０００５】
本発明は上記のような事情に基づいて完成されたものであって、回路基板に対してハウジングが前倒れするのを防止し、さらに全体の構成を簡素化することを目的とする。
【課題を解決するための手段】
【０００６】
本発明の基板用コネクタは、相手ハウジングに嵌合可能なハウジングと、前記ハウジングに組み付けられた状態で前記ハウジングの後面から外部に引き出される引出部を有し、前記引出部の先端側が回路基板に半田付けして接続される端子金具と、前記ハウジングに装着されて前記引出部の両側を覆うとともに、全体の重心を後部寄りとなす位置に配置されて、前記回路基板の表面に設置される金属製の保護部材と、を備えているところに特徴を有する。
【発明の効果】
【０００７】
端子金具の引出部の両側が保護部材によって覆われることにより、引出部が外部異物から保護された状態になる。また、ハウジングに金属製の保護部材が装着されると、全体の重心が後部寄りとなるため、半田付けがなされるまでの間に、ハウジングが回路基板の表面に載置された状態で前倒れするのが防止される。このように、ハウジングの前倒れを規制する機能と、端子金具を保護する機能とが、保護部材にまとめて設けられているため、全体の構成を簡素化することができる。
【図面の簡単な説明】
【０００８】
【図１】本発明の実施例における基板用コネクタの背面図である。
【図２】基板用コネクタの平面図である。
【図３】基板用コネクタの一部破断側面図である。
【図４】ハウジングの背面図である。
【図５】ハウジングの後部側が回路基板とともにケース内に挿入されて樹脂封止された状態を示す断面図である。
【発明を実施するための形態】
【０００９】
本発明の好ましい形態を以下に示す。
前記回路基板が前記ハウジングの後部側とともにケース内に挿入され、前記ケースに導入される樹脂によって前記回路基板及び前記ハウジングの後部側が樹脂封止される。ハウジングが樹脂を介して回路基板に固定されるため、特別な固定手段が不要となる。その結果、全体の構成をより簡素化することができる。
【００１０】
前記ハウジングには、端子装着部及び固定装着部が設けられ、前記端子装着部及び前記固定装着部は、それぞれ、前記端子金具及び前記保護部材を受け入れ可能なように後方に開口する形態とされている。端子金具及び保護部材がそれぞれ端子装着部及び固定装着部に対して同じ方向から装着されるため、装着作業性が良好となる。
【００１１】
＜実施例＞
本発明の実施例を図１〜図５によって説明する。実施例の基板用コネクタ１０は、プリント回路基板（以下、回路基板９０という）に実装されるものであって、ハウジング２０と、保護部材６０と、端子金具８０とを備えている。ハウジング２０は図示しない相手ハウジングと嵌合可能とされている。なお、以下の説明において、前後方向については、ハウジング２０が相手ハウジングとの嵌合を開始する際に相手ハウジングが位置する側を前方とし、上下方向については、図２を除く各図を基準とする。
【００１２】
ハウジング２０は合成樹脂製であって、図５に示すように、前方に開口する筒状のフード部２１を有している。図１、図２及び図４に示すように、フード部２１の上面の幅方向中央部には、相手ハウジングを嵌合状態に保持するためのロック部２２が突出して設けられている。また、フード部２１の上面には、ロック部２２の幅方向両側を覆う位置に、一対の突条部２３が設けられている。突条部２３は、前後方向に延出する形態とされ、フード部２１の両側面にも対をなして設けられ、さらにフード部２１の下面の幅方向中央部にも設けられている。
【００１３】
図５に示すように、フード部２１の後端部は、奥壁２４によって閉止されている。奥壁２４の内周部２５は、外周部２６と比べて厚肉とされ、ハウジング２０の後端の外周縁には、内周部２５の周囲を取り囲むようにフランジ部２７が設けられている。図１及び図４に示すように、フランジ部２７の４角部は背面視において曲面状に丸まった形状になっている。
【００１４】
図１及び図４に示すように、奥壁２４の内周部２５には、複数の端子装着部２８が前後方向に貫通して設けられている。各端子装着部２８は、上下二段で且つ幅方向に複数整列に配置され、その内部に、端子金具８０が後方から圧入により装着されている。
【００１５】
端子金具８０は金属製の細長い棒状部材であって、図５に示すように、フード部２１内に突出して図示しない相手端子金具と接続可能な相手端子接続部８１と、フード部２１外に引き出されてその先端部が回路基板９０の表面に形成された図示しない導体部に半田付けして接続される引出部８２とを有している。相手端子接続部８１は、前後方向に延出する形態とされ、引出部８２は、相手端子接続部８１に連続して後方へ延出する部分と、同部分の後端から下方へ延出してその下端においてさらに後方へ屈曲させられる先端部分とを有する形態とされている。この場合、各引出部８２は、図１及び４に示すように、上側の端子装着部２８の幅方向一側から引き出されるとともに、下側の端子装着部２８の幅方向他側から引き出され、これによって上下夫々で相互の干渉を回避可能とされている。
【００１６】
図１、図２及び図４に示すように、ハウジング２０のフランジ部２７には、その後端の幅方向両端部に、保護部材６０を装着可能な一対の固定装着部２９が設けられている。固定装着部２９は、ハウジング２０の後端の高さ方向（上下方向）中央部において幅方向両側に張り出し、且つ前後方向に延出する角リブ状の形態とされている。図２及び図３に示すように、固定装着部２９の前端は、フード部２１の側面に設けられた突条部２３に一体に連結されている。また、固定装着部２９には、図４に示すように、背面視矩形状の装着孔３１が後方に開口して設けられている。図示する場合、装着孔３１は、フランジ部２７にも跨って配置されている。なお、固定装着部２９は、図２及び図３に示すように、高さ方向（上下方向）及び幅方向に関して、突条部２３よりも大きく形成されている。また、図４に示すように、ハウジング２０は、全体として幅方向中央及び高さ方向中央に対して線対称に配置されている。
【００１７】
保護部材６０は金属製の平板材であって、図１及び図２に示すように、固定装着部２９に装着されることにより、板面を前後方向にほぼ沿わせた状態で、ハウジング２０の幅方向両端から後方へ突出して配置される。また、ハウジング２０の後部側に両保護部材６０が装着されることにより、基板用コネクタ１０全体の重心が前後方向中央よりも後方となるように設定されている。
【００１８】
具体的には、保護部材６０は、図３に示すように、側面視略台形状の保護本体６１と、保護本体６１の前縁から前方に突出する側面視略矩形状の嵌入部６２とからなる。嵌入部６２が固定装着部２９の装着孔３１に後方から圧入して嵌合されることにより、保護部材６０が固定装着部２９に一体に保持される。この場合、固定装着部２９に対する嵌入部６２の圧入方向が、端子装着部２８に対する端子金具８０の圧入方向と同じ方向となるため、保護部材６０と端子金具８０のそれぞれの装着作業を迅速且つ円滑に行うことができる。
【００１９】
図１及び図２に示すように、保護本体６１は、各端子金具８０の引出部８２の両側を覆うように配置される。このため、図３に示すように、各端子金具８０の引出部８２は、側面視においてその全体が保護本体６１に隠れて見えなくなる。また、保護本体６１の下縁は、ハウジング２０の下面にほぼ面一で連続して配置される前後方向に沿った設置面６４として構成される。図１及び図３に示すように、ハウジング２０が回路基板９０の表面に載置されると、保護本体６１の設置面６４が回路基板９０の表面に沿って当接した状態となる。
【００２０】
次に、実施例の基板用コネクタ１０の使用態様について説明する。
図１〜図３に示すように、基板用コネクタ１０が回路基板９０の表面に載置される。すると、回路基板９０の表面に、両保護部材６０の設置面６４、各端子金具８０の引出部８２の先端側及びハウジング２０の後部側が当接して支持される一方、ハウジング２０のうちの後部側を除く部分が回路基板９０の前端よりも前方に突出して配置される。このとき、図３に示すように、フード部２１の下面に設けられた突条部２３が回路基板９０の前縁９２に当接又は近接して配置される。そして、この状態では、両保護部材６０によって基板用コネクタ１０の重心が後方寄りの位置になることから、ハウジング２０の前端が下向きに傾くようにして基板用コネクタ１０が前倒れするのが防止される。
【００２１】
上記において、回路基板９０の表面のうち、各端子金具８０の引出部８２の先端側が載置される部分及び両保護部材６０の設置面６４が載置される部分には、あらかじめ半田が供給されている。その状態で、基板用コネクタ１０を載置した回路基板９０がリフロー炉を通してリフロー半田される。これにより、各端子金具８０が回路基板９０の図示しない導体部に半田付けして接続されるとともに、基板用コネクタ１０が両保護部材６０を介して回路基板９０に仮固定される。
【００２２】
その後、図５に示すように、基板用コネクタ１０の後部側、つまり、各端子金具８０の引出部８２、両保護部材６０及びハウジング２０の後部側と、回路基板９０とが、箱形のケース７０内に挿入される。さらに、ケース７０内に樹脂７１が導入され、導入された樹脂７１の硬化に伴い、基板用コネクタ１０の後部側が樹脂封止される。これにより、各端子金具８０の引出部８２と回路基端との間、及び保護部材６０と回路基板９０との間が、樹脂７１を介して一体に連結され、基板用コネクタ１０が回路基板９０に強固に固定される。また、ハウジング２０のフード部２１がケース７０の前方に突出して配置され、基板用コネクタ１０が図示しない相手ハウジングに対して待ち受け状態に保持される。
【００２３】
以上説明したように、実施例によれば、各端子金具８０の引出部８２の両側が保護部材６０によって覆われることにより、各引出部８２が外部異物から保護された状態になる。また、ハウジング２０に金属製の保護部材６０が装着されると、全体の重心が後部寄りとなるため、半田付けがなされるまでの間に、ハウジング２０が前倒れするのが防止される。そして、保護部材６０が、ハウジング２０の前倒れを防止する機能と、端子金具８０を保護する機能とを兼備するため、かかる前倒れ防止機能と端子保護機能とが別々の部材に設けられるよりも全体の構成を簡素化することができる。
【００２４】
また、回路基板９０がハウジング２０の後部側とともにケース７０内に挿入され、ケース７０に導入される樹脂７１を介して回路基板９０及びハウジング２０の後部側が回路基板９０に固定されるため、特別な固定手段が不要となる。その結果、全体の構成をより簡素化することができる。
【００２５】
＜他の実施例＞
本発明は上記記述及び図面によって説明した実施例に限定されるものではなく、例えば次のような態様も本発明の技術的範囲に含まれる。
（１）回路基板の表面のうち、保護部材の設置面が当接する部分には、半田が供給されない構成であってもよい。
（２）嵌入部の上下面や側面に小突起状の突部が設けられ、固定装着部の装着孔に嵌入部が圧入された場合に、突部が装着孔の内面に食い込むように係止される構成としてもよい。
（３）回路基板と基板用コネクタの後部側とがケース内で樹脂封止されない構成であってもよい。
【符号の説明】
【００２６】
１０…基板用コネクタ
２０…ハウジング
２１…フード部
２８…端子装着部
２９…固定装着部
３１…装着孔
６０…保護部材
７０…ケース
７１…樹脂
８０…端子金具
８２…引出部
９０…回路基板
【図１】
2015076340.tif 000003
【図２】
2015076340.tif 000004
【図３】
2015076340.tif 000005
【図４】
2015076340.tif 000006
【図５】
2015076340.tif 000007